(57)【要約】  【課題】簡易な構成でより装飾部を光により際立たせることのできるうちわを提供する。  【解決手段】骨２０と地紙２５とを有するうちわ１において、反射シート４０と蛍光シート５０とを積層して地紙２５上に形成される二層構造の文字や図形の装飾体３０ａ，３０ｂであって、装飾体上層の反射シート４０又は蛍光シート５０が装飾体下層の蛍光シート５０又は反射シート４０より一回り小さく形成され、装飾体上層を装飾体下層で縁取るように構成した装飾体３０ａ，３０ｂを備える。【選択図】図１
0003210731.tif 000002
【実用新案登録請求の範囲】
【請求項１】
骨と地紙とを有するうちわにおいて、
反射シートと蛍光シートとを積層して前記地紙上に形成される二層構造の文字や図形の装飾体であって、装飾体上層の前記反射シート又は前記蛍光シートが装飾体下層の前記蛍光シート又は前記反射シートより一回り小さく形成され、前記装飾体上層を前記装飾体下層で縁取るように構成した装飾体を備えることを特徴とするうちわ。
【請求項２】
前記装飾体上層が前記反射シートであり、前記装飾体下層が前記蛍光シートであって、前記反射シートが再帰反射シートであることを特徴とする請求項１記載のうちわ。
【請求項３】
前記装飾体を複数備え、
前記装飾体下層は、複数の前記装飾体下層が一体につながって構成され、前記装飾体上層は、それぞれの前記装飾体上層が分離されて構成されていることを特徴とする請求項１又は２記載のうちわ。
【考案の詳細な説明】
【技術分野】
【０００１】
本考案は、装飾を施したうちわに関する。
【背景技術】
【０００２】
昔から、手で扇いで風を起こす道具であるうちわが多数提供されている。うちわの扇部には従来から様々な図柄の装飾が施されており、近年では、コンサート会場で使用するためによりカラフルな装飾文字が施されたうちわも多数提供されている。
【０００３】
コンサート会場で使用されるうちわでは、うちわに施した文字装飾体をより際立たせるために、蛍光塗料や反射材料を用いて装飾部分を光らせるうちわも提供されている。下記特許文献１，２には、装飾部分を光らせるために、蛍光塗料や反射シート、電球等を装飾部に設置した発光うちわが開示されている。
【先行技術文献】
【特許文献】
【０００４】
【特許文献１】登録実用新案公報第３０１１４７０号公報
【特許文献２】実開平７−２５８１６号公報
【考案の概要】
【考案が解決しようとする課題】
【０００５】
しかし、電球やＬＥＤ等により装飾部を発光させるためには、電池も必要となり、うちわの構造が複雑化し、大型化しかねない。また、コンサート会場によっては、電球やＬＥＤ等の電飾が禁止されているところもある。また、従来の蛍光塗料や反射シートを設置したうちわでは、装飾部が単に蛍光発光したり、照射光を単に反射させたりしているだけであり、装飾部がそれほど際立っていない。
【０００６】
本考案は、上記課題を解決するためになされたものであり、簡易な構成でより装飾部を光により際立たせることのできるうちわを提供することを目的とする。
【課題を解決するための手段】
【０００７】
上記課題を解決するために、本考案に係るうちわは、骨と地紙とを有するうちわにおいて、反射シートと蛍光シートとを積層して前記地紙上に形成される二層構造の文字や図形の装飾体であって、装飾体上層の前記反射シート又は前記蛍光シートが装飾体下層の前記蛍光シート又は前記反射シートより一回り小さく形成され、前記装飾体上層を前記装飾体下層で縁取るように構成した装飾体を備える。
【考案の効果】
【０００８】
本考案に係るうちわによれば、装飾部が反射光及び蛍光により縁取られながら、鮮やかに彩られたり発光したりするため、装飾部をより際立たせることができる。
【図面の簡単な説明】
【０００９】
【図１】図１は、本考案の実施形態に係るうちわの表側の平面図である。
【図２】図２は、本考案の実施形態に係るうちわの裏側の平面図である。
【図３】図３は、本考案の実施形態に係るうちわの部分断面図である。
【考案を実施するための形態】
【００１０】
以下、図面を参照しながら、本考案の実施形態について詳細に説明する。図１は、本実施形態に係るうちわの表側の平面図である。図２は、本実施形態に係るうちわの裏側の平面図である。図３は、本実施形態に係るうちわの一部断面図である。
【００１１】
うちわ１は、持ち手である柄部１０と、扇部１５とから構成される。扇部１５は、骨２０と、地紙２５と、地紙２５の上に形成された文字や図形等の装飾体からなる装飾部３０とを備えている。
【００１２】
柄部１０と骨２０とは、プラスチック製であり、一体に樹脂成形されている。骨２０は、全体として扇形状であり、周囲を縁取る扇形の縁２１を備えている。地紙２５は、縁２１を残して骨２０の略全体を覆って貼り付けられた紙であり、骨２０の表側及び裏側の両面にそれぞれ設置されている。図２では、骨２０を破線で描いている。
【００１３】
装飾部３０は、本実施形態では、図１に示すように、「エアハグして」を構成する各文字の文字装飾体３０ａと、ハートの図形の図形装飾体３０ｂとを備えている。文字装飾体３０ａは、文字を象った蛍光シート５０が装飾体下層として地紙２５上に接着により貼り付け固定され、さらに、その上に蛍光シート５０よりも一回り小さく同じ文字を象った反射シート４０が装飾体上層として貼り付け設置されている。
【００１４】
すなわち、地紙２５上に形成される文字装飾体３０ａは、装飾体下層の蛍光シート５０と、装飾体上層の反射シート４０との二層構造となっており、文字のサイズが装飾体上層のほうが一回り小さくなっている。このため、文字装飾体３０ａの最も表面側には、文字の真ん中の文字本体部分では反射シート４０が露出し、文字の縁部分では蛍光シート５０が露出しており、文字装飾体３０ａは、二層縁取り構造となっている。
【００１５】
また、本実施形態では、装飾体下層の蛍光シート５０は、「エアハグして」の全ての文字で一体につながっているのに対して、装飾体上層の反射シート４０は全ての文字でそれぞれ分離されて構成されている。
【００１６】
このように装飾体下層を一繋がりに構成することで、文字装飾体３０ａを地紙２５上に貼り付けて設置する作業を容易に行うことができる。すなわち、装飾体下層が各文字でバラバラになっていると、一つ一つの文字の装飾体下層（蛍光シート５０）を地紙２５の所定の場所に貼り付ける必要があり手間がかかるが、装飾体下層が一体につながっていれば、各文字の相対的な位置を調整する必要なく、貼り付け作業を容易に行うことができる。
【００１７】
図形装飾体３０ｂは、蛍光シート５０のみが地紙２５上に接着により貼り付け固定された単層構造となっている。もちろん、図形装飾体３０ｂにおいても二層縁取り構造を採用しても良いし、文字装飾体３０ａを単層構造としても良い。また、単層構造の場合には、反射シート４０の単層構造としても良い。
【００１８】
本実施形態では、反射シート４０は、カプセルレンズ型の再帰反射シートが用いられている。再帰反射シートは、入射光をそのまま光源方向へ反射（再帰反射）する性質を備えており、乱反射シートや鏡面反射（正反射）シートと比べて、光源方向からの視認性が格段に高い。したがって、反射シート４０は、指向性の高い照明光が照射された場合に、反射光により照明の光源方向から非常に際立って見える。
【００１９】
もちろん、反射シート４０としては、乱反射シートや鏡面反射シート等の他の反射シートを用いても良い。また、再帰反射シートとして、封入レンズ型再帰反射シートやプリズムレンズ型再帰反射シートを用いることもできる。
【００２０】
蛍光シート５０は、蛍光性能（フォトルミネセンス）を持つ染料である蛍光染料が塗布されたシートであり、紫外線や可視光線等の励起光が照射されると発光する。したがって、蛍光シート５０は、比較的明るい場所で様々な方向から色鮮やかに目立って見える。
【００２１】
このように、本実施形態では、文字装飾体３０ａの文字が反射シート４０と蛍光シート５０との二層構造から構成され、さらに上層の反射シート４０で形成された文字が下層の蛍光シート５０で縁取られた二層縁取り構造を採用しているため、簡易な構成で文字装飾体３０ａをより際立たせることができ、遠くからでも視認性が高い。
【００２２】
例えば、昼間の屋外やある程度明るい室内においては、文字装飾体３０ａの縁取り部分である蛍光シート５０が蛍光を発光し、色鮮やかに際立って見える。一方、薄暗い室内においては、指向性の高い照明光が文字装飾体３０ａに照射されると、光源方向からは文字装飾体３０ａの文字本体部分である反射シート４０からの再帰反射光が非常に明るく、遠くからでも極めて際立って見える。
【００２３】
コンサート会場では、薄暗い中でアイドルの位置するステージ側から観客席に向けて指向性の高い照明であるスポットライトが照射される場合が多い。このとき、本実施形態に係るうちわ１を観客席の観客が持っていれば、ステージ側からのスポットライトがうちわ１に照射されると、ステージ側から見て反射シート４０の再帰反射光が非常に明るく、文字装飾体３０ａの文字がステージに位置するアイドルから極めて目立って視認される。
【００２４】
このように、本実施形態によれば、明るいで場所であっても、比較的暗い場所でスポットライトにより照らされる場合であっても、文字装飾体３０ａの縁取り部分（蛍光シート５０）又は文字本体部分（反射シート４０）の何れかが際立って視認され、様々な状況でうちわ１の装飾部３０を際立たせることができる。
【００２５】
また、本実施形態によれば、文字装飾体３０ａの縁取り構造を実現するために、装飾体下層よりも装飾体上層を一回り小さく形成しながら積層する二層構造により実現しており、文字装飾体３０ａを扇部１５に貼り付ける作業を簡単に行うことができる。
【００２６】
すなわち、同一層内で文字本体部分のシートを縁取り部分のシートで縁取る場合には、縁取り部分のシートの内側を文字本体部分の形状に合わせて正確にカットする必要があると共に、貼り付ける際にも二つのシートの位置を正確に合わせる必要がある。
【００２７】
これに対して、本実施形態においては、装飾体下層の縁取り用蛍光シート５０の内側をカットする必要がなく、蛍光シート５０上に装飾体上層の反射シート４０を貼り付ける際に多少ずれても縁取りが可能であり、文字装飾体３０ａの形成を容易に行うことができる。
【００２８】
以上、本考案の実施形態について詳細に説明したが、本考案は上記実施形態に限定されるものではなく、本考案の主旨を逸脱しない範囲内で種々の変形が可能である。例えば、うちわを構成する部材のサイズや素材等は適宜変更可能である。
【００２９】
また、上記実施形態では、装飾部の文字装飾体のみを反射シート及び蛍光シートによる二層縁取り構造としたが、文字装飾体と図形装飾体との双方を二層縁取り構造としても良いし、図形装飾体のみを二層縁取り構造としても良い。
【００３０】
また、上記実施形態では、文字装飾体の二層縁取り構造において、装飾体上層に再帰反射シートを設置し、装飾体下層に蛍光シートを設置したが、逆であってもよい。但し、スポットライトが照射された際の光源方向からの再帰反射シートの視認性が最も高いため、文字本体部分の装飾体上層として再帰反射シートを設置する方が効果的である。
【００３１】
また、上記実施形態では、文字装飾体を反射シート及び蛍光シートの二層縁取り構造としたが、反射シートと蛍光シートを三層以上に積層するようにしても良い。
【符号の説明】
【００３２】
１      うちわ
１０    柄部
１５    扇部
２０    骨
２１    縁
２５    地紙
３０    装飾部
３０ａ  文字装飾体
３０ｂ  図形装飾体
４０    反射シート
５０    蛍光シート
【図１】
0003210731.tif 000003
【図２】
0003210731.tif 000004
【図３】
0003210731.tif 000005